(57)【要約】【課題】浴室と踊り場とで備品を兼用でき、かつ、備品が不潔にならない間仕切り壁収納棚を提供すること。【解決手段】浴室Ａとそれに隣接する踊り場Ｂとの間の壁Ｗを貫通する開口部を設け、該開口部に備品が収納可能な収納棚１ｂを設けるとともに、前記収納棚１ｂには少なくとも浴室Ａ側に、開閉可能な扉部４が設けられており、同一の収納棚１ｂが、浴室Ａと踊り場Ｂとから利用できるため、両側から備品を出し入れすることができ、収納棚１ｂに収納された備品を兼用でき、無駄が少なくなるばかりか、使用時以外は浴室Ａと踊り場Ｂとを扉部４で遮断しておけば、浴室Ａの湿気が踊り場Ｂに入りにくいので、内部を清潔に保つことができる。【選択図】図１
2010053686.tif 000002
【特許請求の範囲】
【請求項１】
浴室とそれに隣接する踊り場との間の壁を貫通する開口部を設け、備品が収納可能な貫通収納棚を前記開口部に設けるとともに、前記貫通収納棚には少なくとも浴室側に、開閉可能な扉部が設けられ、前記貫通収納棚に隣接して浴室側が閉塞された閉塞収納棚を配置した間仕切り壁収納棚であって、
前記貫通収納棚は上下方向に多段のラックを有する縦長矩形形状で、かつ前記閉塞収納棚と略同一高さであり、該貫通収納棚の前記扉部には透光性を有する透光部材が用いられていることを特徴とする間仕切り壁収納棚。
【請求項２】
浴室とそれに隣接する踊り場との間の壁を貫通する開口部を設け、備品が収納可能な貫通収納棚を前記開口部に設けるとともに、前記貫通収納棚には少なくとも浴室側に、開閉可能な扉部が設けられ、前記貫通収納棚に隣接して浴室側が閉塞された閉塞収納棚を配置した間仕切り壁収納棚であって、
前記閉塞収納棚の浴室側が閉塞板で形成され、該閉塞板には透光性を有する透光部材が用いられていることを特徴とする間仕切り壁収納棚。
【発明の詳細な説明】
【技術分野】
【０００１】
本発明は、収納空間、特に、浴室とそれに隣接して設けられる踊り場（洗面所）等における壁埋没型収納棚である間仕切り壁収納棚（以下単に「間仕切り壁収納棚」という）に関する。
【背景技術】
【０００２】
従来、浴室の隣りに設けられた踊り場に、浴室で用いるシャンプーや石鹸等の備品を収納するため、キャビネットや収納棚等を備え付けることがある。
【発明の概要】
【発明が解決しようとする課題】
【０００３】
しかしながら、この種の収納棚の場合、入浴している最中に前述のような備品が必要になった際には、踊り場の収納棚までわざわざ浴室から出て、これらの備品を取りに行く必要があり、非常に不便であった。
【０００４】
また、浴室内部に収納棚を備え付けることが考えられるが、この場合、浴室が手狭になってしまうばかりか、踊り場である洗面所と浴室に同じ備品を備えなければならず無駄が多い。さらに、長期間前述のような備品を浴室内に収納していると、湿気でカビ等が付着し易く、不衛生である。
【０００５】
本発明は、このような問題点に着目してなされたもので、浴室と踊り場とで備品を兼用でき、かつ、衛生的な間仕切り壁収納棚を提供することを目的とする。
【課題を解決するための手段】
【０００６】
前記課題を解決するために、本発明の間仕切り壁収納棚は、浴室とそれに隣接する踊り場との間の壁を貫通する開口部を設け、備品が収納可能な貫通収納棚を前記開口部に設けるとともに、前記貫通収納棚には少なくとも浴室側に、開閉可能な扉部が設けられ、前記貫通収納棚に隣接して浴室側が閉塞された閉塞収納棚を配置した間仕切り壁収納棚であって、
前記貫通収納棚は上下方向に多段のラックを有する縦長矩形形状で、かつ前記閉塞収納棚と略同一高さであり、該貫通収納棚の前記扉部には透光性を有する透光部材が用いられていることを特徴としている。
この特徴によれば、貫通収納棚が、浴室と踊り場とから利用できるため、両側から備品を出し入れすることができ、収納棚に収納された備品を兼用でき、無駄が少なくなるばかりか、使用時以外は浴室と踊り場とを扉部で遮断しておけば、浴室の湿気が踊り場に入りにくいので、収納棚内部を清潔に保つことができる。そして閉塞収納棚を常に乾燥状態である補充棚として使用できる。更に浴室側から備品の収納状態を、扉部を開放することなしに容易に把握できる。
【０００７】
本発明の間仕切り壁収納棚は、浴室とそれに隣接する踊り場との間の壁を貫通する開口部を設け、備品が収納可能な貫通収納棚を前記開口部に設けるとともに、前記貫通収納棚には少なくとも浴室側に、開閉可能な扉部が設けられ、前記貫通収納棚に隣接して浴室側が閉塞された閉塞収納棚を配置した間仕切り壁収納棚であって、
前記閉塞収納棚の浴室側が閉塞板で形成され、該閉塞板には透光性を有する透光部材が用いられていることを特徴としている。
このようにすれば、踊り場側の光が透光板を透して浴室側に射し込むので、浴室側を明るくできる。
【０００８】
本発明の間仕切り壁収納棚は、前記扉部に、常閉付勢手段が設けられていることが好ましい。
このようにすれば、扉部が常時閉まるように付勢されているので、扉部が開放された状態のまま放置されることがなく、浴室側からの使用時以外は、貫通収納棚の内部が常に乾燥状態となる。
【０００９】
本発明の間仕切り壁収納棚は、前記扉部には、扉部を閉塞した際に貫通収納棚側が密閉されるようにシール部材が設けられていることが好ましい。
このようにすれば、扉部を閉塞した際に貫通収納棚側が密閉されるので、浴室側からの湿気を遮断できる。
【００１０】
本発明の間仕切り壁収納棚は、前記貫通収納棚の踊り場側が、常に開放した状態であることが好ましい。
このようにすれば、浴室側からの使用後に扉部を閉めておけば、踊り場の雰囲気により貫通収納棚の内部の乾燥が速められ、収納棚が多湿状態にならない。
【００１１】
本発明の間仕切り壁収納棚は、前記貫通収納棚の踊り場側にも、開閉可能な扉部が設けられていることが好ましい。
このようにすれば、貫通収納棚の踊り場側の扉を閉めることで、湿気の踊り場への入り込みが防げる。
【００１２】
本発明の間仕切り壁収納棚は、前記貫通収納棚と閉塞収納棚とは前記開口部に設けた枠体内に形成され、前記枠体の周縁部と壁との隙間はシール材が充填されていることが好ましい。
このようにすれば、枠体の周縁部と壁との隙間を通して湿気が踊り場へ入り込むのを確実に防止できる。
【図面の簡単な説明】
【００１３】
【図１】本発明の第１実施例における収納空間が適用された踊り場及び浴室の斜視図である。
【図２】図１のＩ−Ｉ断面図である。
【図３】本発明の第２実施例における収納空間の斜視図である。
【図４】図３のII−II断面図である。
【発明を実施するための形態】
【００１４】
以下、本発明の第１実施例を図面に基づいて説明すると、図１は、本実施例の間仕切り壁収納棚１が適用された浴室Ａ及び踊り場Ｂを示す斜視図であり、図２は、間仕切り壁収納棚１のＩ−Ｉ断面図である。
【００１５】
図１、２に示されるように、間仕切り壁収納棚１は、枠体２と、仕切板３と、扉部４、５と、透光部材からなる閉塞板６とから主に構成されており、浴室Ａと踊り場Ｂの間の壁Ｗに設けられた開口部７に枠体２を嵌め込むことにより、備品を収納可能な収納棚１ａが形成されるようになっている。
【００１６】
枠体２は、２つの枠部材８、９からなっており、壁Ｗの浴室Ａ側と、踊り場Ｂ側とからそれぞれの枠部材８、９を入れ子状態に嵌合することで一体化し、この一体化した枠体２は、壁Ｗの間に形成された補強部材１０に固定ネジ１１で固定されている。なお、枠体２の周縁部と壁Ｗの隙間にシリコン樹脂等からなるシール材１２が充填されており、これにより壁Ｗの内部が密封される。
【００１７】
また、枠体２内には、縦方向の仕切板３が設けられ、収納棚１ａが１ｂと１ｃとに区画されており、収納棚１ｂは、浴室Ａから踊り場Ｂにかけて貫通し、収納棚１ｃの浴室Ａ側は閉塞板６によって閉塞されている。
【００１８】
扉部４は、収納棚１ｂの浴室Ａ側を閉塞するのに十分な大きさを有し、収納棚１ｂの浴室Ａ側を覆うとともに、浴室Ａ方向に開閉自在に取付けられている。なお、扉部４の仕切板３側には、取手部１３が浴室Ａ側に突出するように形成されており、開閉を容易に行うことができる。また、扉部５は、収納棚１ｂにおける踊り場Ｂ側の開口を開閉自在に覆うように取付けられている。
【００１９】
収納棚１ｂを取り巻く枠体２と仕切板３の浴室Ａ側近傍には、シール部材１４が扉部４を囲むように設けられており、扉部４を閉塞した際に扉部４と枠体２及び仕切板３との隙間が密閉されるようになっている。
【００２０】
収納棚１ｂ内にはラック１５が、収納棚１ｃ内にはラック１６がそれぞれ上下方向に多段に設けられており、シャンプーや石鹸等の備品が収納できるようになっている。また、ラック１５は、ワイヤー部材によって形成されているため、ラック底部に水が留まらない。
【００２１】
以上のように構成されている本実施例の間仕切り壁収納棚１にあっては、同一の収納棚１ｂが、浴室Ａと踊り場Ｂとから利用できるため、両側から備品を出し入れすることができ、収納棚１ｂに収納された備品を兼用でき、無駄が少なくなるばかりか、使用時以外は浴室Ａと踊り場Ｂとを扉部４で遮断しておけば、浴室Ａの湿気が踊り場Ｂに入りにくいので、収納棚１ｂの内部を清潔に保つことができる。
【００２２】
収納棚１ｂに隣接配置された収納棚１ｃ内には、扉部４を開放しても、浴室Ａ側から直接湿気が入り込むことがないので、この収納棚１ｃを、常に乾燥状態である補充棚として使用できる。
【００２３】
また、収納棚１ｂに収納された備品が不足した際には、この収納棚１ｂの隣の収納棚１ｃに収納された備品を隣に移し替えるだけの容易な作業を行うだけで、収納棚１ｂに備品を補充することができる。
【００２４】
また、収納棚１ｃの浴室Ａ側を形成する閉塞板６には、透光部材を用いており、踊り場Ｂ側の光が閉塞板６を透して浴室Ａ側に射し込むので、浴室Ａ側を明るくできる。
【００２５】
また、収納棚１ｂに設けられたラック１５は、水切り手段としてワイヤー部材を成形したものを用いているため、浴室側から入り込んだ湿気が結露してできた水分が、ラック１５の底部に留まることがなく、収納棚１ｂの内部が清潔に保たれる。
【００２６】
次に、本発明の第２実施例を図３、４に基づいて説明すると、２１は、本実施例の間仕切り壁収納棚を示しており、この間仕切り壁収納棚２１は、枠体２と、仕切板３と、扉部２２と、閉塞板６とから、主に構成されている。
【００２７】
扉部２２は、透光性を有する透光部材からなり、収納棚１ｂを閉塞するのに十分な大きさを有し、収納棚１ｂの浴室Ａ側を覆うとともに、浴室Ａ方向に開閉自在に取付けられている。
【００２８】
また、扉部２２の下部には、扉部２２を常時閉塞方向に付勢する付勢手段２３が設けられている。
【００２９】
本実施例のその他の構成については、前述の第１実施例と同様のため、同様の符号を付すことで、ここでの詳細な説明は省略することとする。
【００３０】
以上のように構成されている本実施例の間仕切り壁収納棚２１にあっては、収納棚１ｂの踊り場Ｂ側が常に開放されているため、浴室Ａ側からの使用後に扉部２２を閉めておけば、踊り場Ｂの雰囲気により収納棚１ｂの内部の乾燥が速められ、収納棚１ｂが多湿状態にならない。
【００３１】
また、扉部２２は付勢手段２３により常時閉塞方向に付勢されており、扉部２２が開放された状態のまま長時間放置されることがないため、浴室Ａ側からの使用時以外は、収納棚１ｂの内部を常に乾燥状態に保つことができる。
【００３２】
さらに、扉部２２を透光部材とすることで、浴室Ａ側から備品の収納状態を扉部２２を開放することなしに容易に把握できる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、上記実施例においては、収納棚１ａは、仕切板３を境に収納棚１ｂ、１ｃに分けられているが、例えば、仕切板３のない１つの収納棚とし、この収納棚の浴室Ａ側を閉塞する扉部を設けたものであっても良い。
【００３５】
また、収納棚１ｃの浴室Ａ側を閉塞している閉塞板には、透光部材を用いているが、特に、透光部材に限定されるものではなく、その他の部材を用いても良い。
【００３６】
本発明は以下の効果を奏する。
【００３７】
（ａ）請求項１項の発明によれば、貫通収納棚が、浴室と踊り場とから利用できるため、両側から備品を出し入れすることができ、収納棚に収納された備品を兼用でき、無駄が少なくなるばかりか、使用時以外は浴室と踊り場とを扉部で遮断しておけば、浴室の湿気が踊り場に入りにくいので、収納棚内部を清潔に保つことができる。そして閉塞収納棚を常に乾燥状態である補充棚として使用できる。更に浴室側から備品の収納状態を、扉部を開放することなしに容易に把握できる。
【００３８】
（ｂ）請求項２項の発明によれば、閉塞板には透光部材が設けられているため、踊り場側の光が該閉塞板を透して浴室側に射し込むので、浴室側を明るくできる。
【符号の説明】
【００３９】
１              間仕切り壁収納棚
１ａ            収納棚
１ｂ            収納棚（貫通収納棚）
１ｃ            収納棚（閉塞収納棚）
２              枠体
３              仕切板
４、５          扉部
６              閉塞板
７              開口部
８、９          枠部材
１０            補強部材
１１            固定ネジ
１２            シール材
１３            取手部
１４            シール部材
１５            ラック（水切り手段）
１６            ラック
２１            間仕切り壁収納棚
２２            扉部（透光板）
２３            付勢手段（常閉付勢手段）
Ａ              浴室
Ｂ              踊り場
Ｗ              壁
【図１】
2010053686.tif 000003
【図２】
2010053686.tif 000004
【図３】
2010053686.tif 000005
【図４】
2010053686.tif 000006